(57)【要約】【課題】外部装置である再生装置から再生出力される信号に映像信号が含まれているか否かに基づいて映像表示部への電力の供給のオン／オフを制御して省電力を実現することができる映像音声出力システム、並びに映像音声出力システムに含まれる再生装置及び表示装置を提供する。【解決手段】再生装置１からは、再生出力の残り時間を示す残時間情報が送信され、さらに再生出力される信号が映像信号を含まない場合、映像信号を含まないことを示す出力情報が送信される。表示装置２は出力情報を受信した場合は、受信した残時間情報が示す再生残り時間を所定時間と比較し、再生残り時間が所定時間よりも長いときは使用しない映像表示部３５及びＴＶ信号受信部３４への電力の供給をオフにし、再生残り時間が所定時間よりも短いときは映像表示部３５及びＴＶ信号受信部３４への電力の供給をオンにする。【選択図】図１
2008098857.tif 000002
【特許請求の範囲】
【請求項１】
映像信号及び／又は音声信号を再生出力する再生装置と、電力の供給を受け、前記再生装置から映像信号及び／又は音声信号を入力する入力部、該入力部により入力された映像信号に基づき映像を表示する映像表示部、及び前記入力部により入力された音声信号に基づき音声を出力する音声出力部を備える表示装置とを含む映像音声出力システムにおいて、
前記再生装置は、
再生出力する信号が映像信号を含むか否かを判断する手段と、
再生出力する信号が映像信号を含まないと判断した場合は映像信号を含まないことを示す出力情報を送信する手段と、
再生出力の残り時間を示す残時間情報を送信する手段と
を備え、
前記表示装置は、
前記再生装置から前記出力情報及び前記残時間情報を受信する手段と、
受信した残時間情報が示す残り時間と所定時間とを比較する手段と、
前記映像表示部への電力の供給のオン／オフを制御する手段と
を備え、
前記出力情報を受信した場合に、残り時間が前記所定時間よりも長いときは前記映像表示部へは電力が供給されないようにしてあり、残り時間が前記所定時間よりも短いときは前記映像表示部へ電力が供給されるようにしてあること
を特徴とする映像音声出力システム。
【請求項２】
映像及び／又は音声のデータに基づき映像信号及び／又は音声信号を再生出力する再生装置と、電力の供給を受け、前記再生装置から映像信号及び／又は音声信号を入力する入力部、該入力部により入力された映像信号に基づき映像を表示する映像表示部、及び前記入力部により入力された音声信号に基づき音声を出力する音声出力部を備える表示装置とを含む映像音声出力システムにおいて、
前記再生装置は、
データの種類を示すデータ種別情報を送信する手段と、
再生出力の残り時間を示す残時間情報を送信する手段と
を備え、
前記表示装置は、
前記再生装置から前記データ種別情報を受信する手段と、
受信したデータ種別情報が示すデータの種類を判別する判別手段と、
前記再生装置から前記残時間情報を受信する手段と、
受信した残時間情報が示す残り時間と所定時間とを比較する手段と、
前記映像表示部への電力の供給のオン／オフを制御する手段と
を備え、
データの種類が映像を含まないものであると前記判別手段が判別した場合に、残り時間が前記所定時間よりも長いときは前記映像表示部へは電力が供給されないようにしてあり、残り時間が前記所定時間よりも短いときは前記映像表示部へ電力が供給されるようにしてあること
を特徴とする映像音声出力システム。
【請求項３】
映像信号及び／又は音声信号を再生出力する再生装置と、電力の供給を受け、前記再生装置から映像信号及び／又は音声信号を入力する入力部、テレビジョン放送の映像信号及び音声信号を受信する受信部、前記入力部により入力された映像信号又は前記受信部が受信した映像信号に基づき映像を表示する映像表示部、前記入力部により入力された音声信号又は前記受信部が受信した音声信号に基づき音声を出力する音声出力部、及び前記入力部により入力された映像信号及び音声信号又は前記受信部が受信した映像信号及び音声信号のいずれの信号に基づいて前記映像表示部が映像を表示し、前記音声出力部が音声を出力するかを選択する選択部を備える表示装置とを含む映像音声出力システムにおいて、
前記再生装置は、
再生出力する信号が映像信号を含むか否かを判断する手段と、
再生出力する信号が映像信号を含まないと判断した場合は映像信号を含まないことを示す出力情報を送信する手段と、
再生出力の残り時間を示す残時間情報を送信する手段と
を備え、
前記表示装置は、
前記再生装置から前記出力情報及び前記残時間情報を受信する手段と、
受信した残時間情報が示す残り時間と所定時間とを比較する手段と、
前記映像表示部及び前記受信部への電力の供給のオン／オフを制御する手段と
を備え、
前記入力部により入力された映像信号及び音声信号に基づいて前記映像表示部が映像を表示し、前記音声出力部が音声を出力する選択を前記選択部がしている場合であり、且つ前記出力情報を受信した場合に、残り時間が前記所定時間よりも長いときは前記映像表示部及び前記受信部へは電力が供給されないようにしてあり、残り時間が前記所定時間よりも短いときは前記映像表示部及び前記受信部へ電力が供給されるようにしてあること
を特徴とする映像音声出力システム。
【請求項４】
映像及び／又は音声のデータに基づき映像信号及び／又は音声信号を再生出力する再生装置と、電力の供給を受け、前記再生装置から映像信号及び／又は音声信号を入力する入力部、テレビジョン放送の映像信号及び音声信号を受信する受信部、前記入力部により入力された映像信号又は前記受信部が受信した映像信号に基づき映像を表示する映像表示部、前記入力部により入力された音声信号又は前記受信部が受信した音声信号に基づき音声を出力する音声出力部、及び前記入力部により入力された映像信号及び音声信号又は前記受信部が受信した映像信号及び音声信号のいずれの信号に基づいて前記映像表示部が映像を表示し、前記音声出力部が音声を出力するかを選択する選択部を備える表示装置とを含む映像音声出力システムにおいて、
前記再生装置は、
データの種類を示すデータ種別情報を送信する手段と、
再生出力の残り時間を示す残時間情報を送信する手段と
を備え、
前記表示装置は、
前記再生装置から前記データ種別情報を受信する手段と、
受信したデータ種別情報が示すデータの種類を判別する判別手段と、
前記再生装置から前記残時間情報を受信する手段と、
受信した残時間情報が示す残り時間と所定時間とを比較する手段と、
前記映像表示部及び前記受信部への電力の供給のオン／オフを制御する手段と
を備え、
前記入力部により入力された映像信号及び音声信号に基づいて前記映像表示部が映像を表示し、前記音声出力部が音声を出力する選択を前記選択部がしている場合であり、且つデータの種類が映像を含まないものであると前記判別手段が判別した場合に、残り時間が前記所定時間よりも長いときは前記映像表示部及び前記受信部へは電力が供給されないようにしてあり、残り時間が前記所定時間よりも短いときは前記映像表示部及び前記受信部へ電力が供給されるようにしてあること
を特徴とする映像音声出力システム。
【請求項５】
前記所定時間の設定を受け付ける手段を更に備えること
を特徴とする請求項１乃至４の何れか一つに記載の映像音声出力システム。
【請求項６】
前記再生装置及び前記表示装置の間は一のケーブルで接続されていること
を特徴とする請求項１乃至５の何れか一つに記載の映像音声出力システム。
【請求項７】
映像信号及び／又は音声信号を再生出力する手段を備える再生装置において、
再生出力する信号が映像信号を含むか否かを判断する手段と、
再生出力する信号が映像信号を含まないと判断した場合は映像信号を含まないことを示す出力情報を送信する手段と、
再生出力の残り時間を示す残時間情報を送信する手段と
を備えることを特徴とする再生装置。
【請求項８】
映像及び／又は音声のデータに基づき映像信号及び／又は音声信号を再生出力する手段を備える再生装置において、
データの種類を示すデータ種別情報を送信する手段と、
再生出力の残り時間を示す残時間情報を送信する手段と
を備えることを特徴とする再生装置。
【請求項９】
電力の供給を受け、外部装置から映像信号及び／又は音声信号を入力する入力部と、該入力部により入力された映像信号に基づき映像を表示する映像表示部と、前記入力部により入力された音声信号に基づき音声を出力する音声出力部とを備える表示装置において、
前記入力部により入力される信号が映像信号を含まないことを示す出力情報を受信する手段と、
残り時間を示す残時間情報を受信する手段と、
受信した残時間情報が示す残り時間と所定時間とを比較する手段と、
前記映像表示部への電力の供給のオン／オフを制御する手段と
を備え、
前記出力情報を受信した場合に、残り時間が前記所定時間よりも長いときは前記映像表示部へは電力が供給されないようにしてあり、残り時間が前記所定時間よりも短いときは前記映像表示部へ電力が供給されるようにしてあること
を特徴とする表示装置。
【請求項１０】
電力の供給を受け、外部装置から映像信号及び／又は音声信号を入力する入力部と、該入力部により入力された映像信号に基づき映像を表示する映像表示部と、前記入力部により入力された音声信号に基づき音声を出力する音声出力部とを備える表示装置において、
データの種類を示すデータ種別情報を受信する手段と、
受信したデータ種別情報が示すデータの種類を判別する判別手段と、
残り時間を示す残時間情報を受信する手段と、
受信した残時間情報が示す残り時間と所定時間とを比較する手段と、
前記映像表示部への電力の供給のオン／オフを制御する手段と
を備え、
データの種類が映像を含まないものであると前記判別手段が判別した場合に、残り時間が前記所定時間よりも長いときは前記映像表示部へは電力が供給されないようにしてあり、残り時間が前記所定時間よりも短いときは前記映像表示部へ電力が供給されるようにしてあること
を特徴とする表示装置。
【請求項１１】
電力の供給を受け、外部装置から映像信号及び／又は音声信号を入力する入力部と、テレビジョン放送の映像信号及び音声信号を受信する受信部と、前記入力部により入力された映像信号又は前記受信部が受信した映像信号に基づき映像を表示する映像表示部と、前記入力部により入力された音声信号又は前記受信部が受信した音声信号に基づき音声を出力する音声出力部と、前記入力部により入力された映像信号及び音声信号又は前記受信部が受信した映像信号及び音声信号のいずれの信号に基づいて前記映像表示部が映像を表示し、前記音声出力部が音声を出力するかを選択する選択部とを備える表示装置において、
前記入力部により入力された信号が映像信号を含まないことを示す出力情報を受信する手段と、
残り時間を示す残時間情報を受信する手段と、
受信した残時間情報が示す残り時間と所定時間とを比較する手段と、
前記映像表示部及び前記受信部への電力の供給のオン／オフを制御する手段と
を備え、
前記入力部により入力された映像信号及び音声信号に基づいて前記映像表示部が映像を表示し、前記音声出力部が音声を出力する選択を前記選択部がしている場合であり、且つ前記出力情報を受信した場合に、残り時間が前記所定時間よりも長いときは前記映像表示部及び前記受信部へは電力が供給されないようにしてあり、残り時間が前記所定時間よりも短いときは前記映像表示部及び前記受信部へ電力が供給されるようにしてあること
を特徴とする表示装置。
【請求項１２】
電力の供給を受け、外部装置から映像信号及び／又は音声信号を入力する入力部と、テレビジョン放送の映像信号及び音声信号を受信する受信部と、前記入力部により入力された映像信号又は前記受信部が受信した映像信号に基づき映像を表示する映像表示部と、前記入力部により入力された音声信号又は前記受信部が受信した音声信号に基づき音声を出力する音声出力部と、前記入力部により入力された映像信号及び音声信号又は前記受信部が受信した映像信号及び音声信号のいずれの信号に基づいて前記映像表示部が映像を表示し、前記音声出力部が音声を出力するかを選択する選択部とを備える表示装置において、
データの種類を示すデータ種別情報を受信する手段と、
受信したデータ種別情報が示すデータの種類を判別する判別手段と、
残り時間を示す残時間情報を受信する手段と、
受信した残時間情報が示す残り時間と所定時間とを比較する手段と、
前記映像表示部及び前記受信部への電力の供給のオン／オフを制御する手段と
を備え、
前記入力部により入力された映像信号及び音声信号に基づいて前記映像表示部が映像を表示し、前記音声出力部が音声を出力する選択を前記選択部がしている場合であり、且つデータの種類が映像を含まないものであると前記判別手段が判別した場合に、残り時間が前記所定時間よりも長いときは前記映像表示部及び前記受信部へは電力が供給されないようにしてあり、残り時間が前記所定時間よりも短いときは前記映像表示部及び前記受信部へ電力が供給されるようにしてあること
を特徴とする表示装置。
【請求項１３】
前記所定時間の設定を受け付ける手段を更に備えること
を特徴とする請求項９乃至１２の何れか一つに記載の表示装置。
【発明の詳細な説明】
【技術分野】
【０００１】
本発明は、再生装置と、再生装置からの映像信号及び音声信号に基づいて映像を表示し、音声を出力する表示装置とを含む映像音声出力システム、並びにそのような映像音声出力システムに含まれる再生装置及び表示装置に関する。特に、自動的に省電力を実現することができる映像音声出力システム、並びにそのような映像音声出力システムに含まれる再生装置及び表示装置に関する。
【背景技術】
【０００２】
映像を表示する表示装置は音声を出力するスピーカを備える場合、映像の表示と共に音声を出力する。また、表示装置はいわゆる外部入力端子を有している場合、再生専用装置、録画再生装置、ゲーム機器、ＰＣ（Ｐｅｒｓｏｎａｌ  Ｃｏｍｐｕｔｅｒ）等の映像出力装置からの映像信号及び音声信号を外部入力端子により入力し、入力された映像信号及び音声信号に基づいて映像を表示し、音声を出力することが可能である。
【０００３】
一方、再生専用装置は、映像が記録された記録媒体から映像を読み出して映像信号を出力するだけでなく、ＣＤ、フラッシュメモリ等の記録媒体から音声のみのデータを読み出して音声信号を出力する場合がある。この場合、スピーカを備えた表示装置が再生専用装置からの音声信号に基づいて音声を出力するときには映像を表示する必要は必ずしもない。
【０００４】
また、表示装置がチューナを備えてテレビジョン受像機として動作する場合も、上述のように外部入力端子を有しているときは映像出力装置からの映像信号及び音声信号に基づいて映像を表示し、音声を出力することが可能であるだけでなく、チューナが受信したテレビジョン放送に基づいて映像を表示し、音声を出力することが可能である。
【０００５】
再生装置、表示装置等の映像関連装置は、映像の高品質化、さらに装置の多機能化に伴って電力消費量が増加している。環境問題に関心が高まるなか、映像関連装置が消費する電力量は社会的にも消費者にとっても無視することができない要素であり、消費電力の削減の度合いが映像関連装置の販売量を決める一因となる場合がある。
【０００６】
表示装置が再生専用装置から入力される音声信号のみに基づいて音声を出力する場合に映像を表示しないときも、例えば液晶パネルを用いた表示装置ではバックライトへ電力が供給され、プラズマディスプレイを用いた表示装置では駆動部へ電力が供給される。音声のみを出力している間の使用されていないバックライト、プラズマディスプレイ等の映像表示部への電力の供給は、無駄な電力の消費である。
【０００７】
また、テレビジョン受像機として動作する表示装置は例えば録画再生装置等の外部装置から入力された映像信号を出力している間も受信部のチューナ等に電力を供給しており、受信部はテレビジョン放送の受信及び映像信号の出力の動作を行なう。この場合も使用されていない受信部への電力の供給は無駄な電力の消費である。
【０００８】
そこで、外部装置から入力される映像信号に基づいて映像を表示するモード、地上波放送を受信するＶＨＦ／ＵＨＦチューナからの映像信号に基づいて映像を表示するモード、衛星放送を受信するＢＳチューナからの映像信号に基づいて映像を表示するモードのいずれかを操作部を介して選択することができ、使用しないチューナへの電力の供給のオン／オフをモードに応じて制御するテレビジョン受像機が特許文献１に開示されている。
【特許文献１】実開平４−２０７７８号公報
【発明の開示】
【発明が解決しようとする課題】
【０００９】
液晶パネルを使用した表示装置の場合、バックライトへの電力の供給のオン／オフをユーザによる操作に応じて制御することができ、使用されていないバックライトへの電力の供給をオフにすることができる場合がある。しかしながら、あくまでユーザによる操作に応じて制御するのであり、ユーザが積極的にバックライトをオフにする操作を行なわない限り電力は供給される。
【００１０】
また、特許文献１に開示されている技術はあくまでユーザによる操作に直接的に応じて動作する構成であり、ユーザの操作により映像表示部へ電力が供給されないようにするモードから電力が供給されるようにするモードへのモード変更ができる場合でも、映像表示部への電力の供給をモード変更に先立ち開始する手段がないので、映像の表示を開始することができるようになるまでに一定の時間を要してしまうという問題点を有していた。
【００１１】
本発明は斯かる事情に鑑みてなされたものであり、外部装置である再生装置から再生出力される信号に映像信号が含まれていないことを示す情報及び再生出力の残り時間を示す情報に基づいて、映像を表示する映像表示部への電力の供給のオン／オフを制御して自動的に省電力を実現し、再生装置からの再生出力が終了した時点で、映像を表示するまでの時間の短縮を図ることができる映像音声出力システム、並びにそのような映像音声出力システムに含まれる再生装置及び表示装置を提供することを目的とする。
【００１２】
本発明の他の目的は、外部装置である再生装置から再生出力されるデータの種類を示す情報及び再生出力の残り時間を示す情報に基づいて、映像を表示する映像表示部への電力の供給のオン／オフを制御して自動的に省電力を実現することができ、再生装置からの再生出力が終了した時点で、映像を表示するまでの時間の短縮を図ることができる映像音声出力システム、並びにそのような映像音声出力システムに含まれる再生装置及び表示装置を提供することにある。
【００１３】
本発明の他の目的は、外部装置である再生装置から再生出力された信号に映像が含まれていないことを示す情報及び再生出力の残り時間を示す情報に基づいて、映像を表示する映像表示部及びテレビジョン放送を受信する受信部への電力の供給のオン／オフを制御して自動的に省電力を実現し、再生装置からの再生出力が終了した時点で、テレビジョン放送の映像を表示するまでの時間の短縮を図ることができる映像音声出力システム、及びそのような映像音声出力システムに含まれる表示装置を提供することにある。
【００１４】
本発明の他の目的は、外部装置である再生装置から再生出力されるデータの種類を示す情報及び再生出力の残り時間を示す情報に基づいて、映像を表示する映像表示部及びテレビジョン放送を受信する受信部への電力の供給のオン／オフを制御して自動的に省電力を実現し、再生装置からの再生出力が終了した時点で、テレビジョン放送の映像を表示するまでの時間の短縮を図ることができる映像音声出力システム、及びそのような映像音声出力システムに含まれる表示装置を提供することにある。
【００１５】
本発明の他の目的は、ユーザが省電力の程度を調整することができる映像音声出力システム、及びそのような映像音声出力システムに含まれる表示装置を提供することにある。
【００１６】
本発明の他の目的は、装置間の接続を簡易にして自動的に省電力を実現することができる映像音声出力システムを提供することにある。
【課題を解決するための手段】
【００１７】
本発明に係る映像音声出力システムは、映像信号及び／又は音声信号を再生出力する再生装置と、電力の供給を受け、前記再生装置から映像信号及び／又は音声信号を入力する入力部、該入力部により入力された映像信号に基づき映像を表示する映像表示部、及び前記入力部により入力された音声信号に基づき音声を出力する音声出力部を備える表示装置とを含む映像音声出力システムにおいて、前記再生装置は、再生出力する信号が映像信号を含むか否かを判断する手段と、再生出力する信号が映像信号を含まないと判断した場合は映像信号を含まないことを示す出力情報を送信する手段と、再生出力の残り時間を示す残時間情報を送信する手段とを備え、前記表示装置は、前記再生装置から前記出力情報及び前記残時間情報を受信する手段と、受信した残時間情報が示す残り時間と所定時間とを比較する手段と、前記映像表示部への電力の供給のオン／オフを制御する手段とを備え、前記出力情報を受信した場合に、残り時間が前記所定時間よりも長いときは前記映像表示部へは電力が供給されないようにしてあり、残り時間が前記所定時間よりも短いときは前記映像表示部へ電力が供給されるようにしてあることを特徴とする。
【００１８】
本発明に係る映像音声出力システムは、映像及び／又は音声のデータに基づき映像信号及び／又は音声信号を再生出力する再生装置と、電力の供給を受け、前記再生装置から映像信号及び／又は音声信号を入力する入力部、該入力部により入力された映像信号に基づき映像を表示する映像表示部、及び前記入力部により入力された音声信号に基づき音声を出力する音声出力部を備える表示装置とを含む映像音声出力システムにおいて、前記再生装置は、データの種類を示すデータ種別情報を送信する手段と、再生出力の残り時間を示す残時間情報を送信する手段とを備え、前記表示装置は、前記再生装置から前記データ種別情報を受信する手段と、受信したデータ種別情報が示すデータの種類を判別する判別手段と、前記再生装置から前記残時間情報を受信する手段と、受信した残時間情報が示す残り時間と所定時間とを比較する手段と、前記映像表示部への電力の供給のオン／オフを制御する手段とを備え、データの種類が映像を含まないものであると前記判別手段が判別した場合に、残り時間が前記所定時間よりも長いときは前記映像表示部へは電力が供給されないようにしてあり、残り時間が前記所定時間よりも短いときは前記映像表示部へ電力が供給されるようにしてあることを特徴とする。
【００１９】
本発明に係る映像音声出力システムは、映像信号及び／又は音声信号を再生出力する再生装置と、電力の供給を受け、前記再生装置から映像信号及び／又は音声信号を入力する入力部、テレビジョン放送の映像信号及び音声信号を受信する受信部、前記入力部により入力された映像信号又は前記受信部が受信した映像信号に基づき映像を表示する映像表示部、前記入力部により入力された音声信号又は前記受信部が受信した音声信号に基づき音声を出力する音声出力部、及び前記入力部により入力された映像信号及び音声信号又は前記受信部が受信した映像信号及び音声信号のいずれの信号に基づいて前記映像表示部が映像を表示し、前記音声出力部が音声を出力するかを選択する選択部を備える表示装置とを含む映像音声出力システムにおいて、前記再生装置は、再生出力する信号が映像信号を含むか否かを判断する手段と、再生出力する信号が映像信号を含まないと判断した場合は映像信号を含まないことを示す出力情報を送信する手段と、再生出力の残り時間を示す残時間情報を送信する手段とを備え、前記表示装置は、前記再生装置から前記出力情報及び前記残時間情報を受信する手段と、受信した残時間情報が示す残り時間と所定時間とを比較する手段と、前記映像表示部及び前記受信部への電力の供給のオン／オフを制御する手段とを備え、前記入力部により入力された映像信号及び音声信号に基づいて前記映像表示部が映像を表示し、前記音声出力部が音声を出力する選択を前記選択部がしている場合であり、且つ前記出力情報を受信した場合に、残り時間が前記所定時間よりも長いときは前記映像表示部及び前記受信部へは電力が供給されないようにしてあり、残り時間が前記所定時間よりも短いときは前記映像表示部及び前記受信部へ電力が供給されるようにしてあることを特徴とする。
【００２０】
本発明に係る映像音声出力システムは、映像及び／又は音声のデータに基づき映像信号及び／又は音声信号を再生出力する再生装置と、電力の供給を受け、前記再生装置から映像信号及び／又は音声信号を入力する入力部、テレビジョン放送の映像信号及び音声信号を受信する受信部、前記入力部により入力された映像信号又は前記受信部が受信した映像信号に基づき映像を表示する映像表示部、前記入力部により入力された音声信号又は前記受信部が受信した音声信号に基づき音声を出力する音声出力部、及び前記入力部により入力された映像信号及び音声信号又は前記受信部が受信した映像信号及び音声信号のいずれの信号に基づいて前記映像表示部が映像を表示し、前記音声出力部が音声を出力するかを選択する選択部を備える表示装置とを含む映像音声出力システムにおいて、前記再生装置は、データの種類を示すデータ種別情報を送信する手段と、再生出力の残り時間を示す残時間情報を送信する手段とを備え、前記表示装置は、前記再生装置から前記データ種別情報を受信する手段と、受信したデータ種別情報が示すデータの種類を判別する判別手段と、前記再生装置から前記残時間情報を受信する手段と、受信した残時間情報が示す残り時間と所定時間とを比較する手段と、前記映像表示部及び前記受信部への電力の供給のオン／オフを制御する手段とを備え、前記入力部により入力された映像信号及び音声信号に基づいて前記映像表示部が映像を表示し、前記音声出力部が音声を出力する選択を前記選択部がしている場合であり、且つデータの種類が映像を含まないものであると前記判別手段が判別した場合に、残り時間が前記所定時間よりも長いときは前記映像表示部及び前記受信部へは電力が供給されないようにしてあり、残り時間が前記所定時間よりも短いときは前記映像表示部及び前記受信部へ電力が供給されるようにしてあることを特徴とする。
【００２１】
本発明に係る映像音声出力システムは、前記所定時間の設定を受け付ける手段を更に備えることを特徴とする。
【００２２】
本発明に係る映像音声出力システムは、前記再生装置及び前記表示装置の間は一のケーブルで接続されていることを特徴とする。
【００２３】
本発明に係る再生装置は、映像信号及び／又は音声信号を再生出力する手段を備える再生装置において、再生出力する信号が映像信号を含むか否かを判断する手段と、再生出力する信号が映像信号を含まないと判断した場合は映像信号を含まないことを示す出力情報を送信する手段と、再生出力の残り時間を示す残時間情報を送信する手段とを備えることを特徴とする。
【００２４】
本発明に係る再生装置は、映像及び／又は音声のデータに基づき映像信号及び／又は音声信号を再生出力する手段を備える再生装置において、データの種類を示すデータ種別情報を送信する手段と、再生出力の残り時間を示す残時間情報を送信する手段とを備えることを特徴とする。
【００２５】
本発明に係る表示装置は、電力の供給を受け、外部装置から映像信号及び／又は音声信号を入力する入力部と、該入力部により入力された映像信号に基づき映像を表示する映像表示部と、前記入力部により入力された音声信号に基づき音声を出力する音声出力部とを備える表示装置において、前記入力部により入力される信号が映像信号を含まないことを示す出力情報を受信する手段と、残り時間を示す残時間情報を受信する手段と、受信した残時間情報が示す残り時間と所定時間とを比較する手段と、前記映像表示部への電力の供給のオン／オフを制御する手段とを備え、前記出力情報を受信した場合に、残り時間が前記所定時間よりも長いときは前記映像表示部へは電力が供給されないようにしてあり、残り時間が前記所定時間よりも短いときは前記映像表示部へ電力が供給されるようにしてあることを特徴とする。
【００２６】
本発明に係る表示装置は、電力の供給を受け、外部装置から映像信号及び／又は音声信号を入力する入力部と、該入力部により入力された映像信号に基づき映像を表示する映像表示部と、前記入力部により入力された音声信号に基づき音声を出力する音声出力部とを備える表示装置において、データの種類を示すデータ種別情報を受信する手段と、受信したデータ種別情報が示すデータの種類を判別する判別手段と、残り時間を示す残時間情報を受信する手段と、受信した残時間情報が示す残り時間と所定時間とを比較する手段と、前記映像表示部への電力の供給のオン／オフを制御する手段とを備え、データの種類が映像を含まないものであると前記判別手段が判別した場合に、残り時間が前記所定時間よりも長いときは前記映像表示部へは電力が供給されないようにしてあり、残り時間が前記所定時間よりも短いときは前記映像表示部へ電力が供給されるようにしてあることを特徴とする。
【００２７】
本発明に係る表示装置は、電力の供給を受け、外部装置から映像信号及び／又は音声信号を入力する入力部と、テレビジョン放送の映像信号及び音声信号を受信する受信部と、前記入力部により入力された映像信号又は前記受信部が受信した映像信号に基づき映像を表示する映像表示部と、前記入力部により入力された音声信号又は前記受信部が受信した音声信号に基づき音声を出力する音声出力部と、前記入力部により入力された映像信号及び音声信号又は前記受信部が受信した映像信号及び音声信号のいずれの信号に基づいて前記映像表示部が映像を表示し、前記音声出力部が音声を出力するかを選択する選択部とを備える表示装置において、前記入力部により入力された信号が映像信号を含まないことを示す出力情報を受信する手段と、残り時間を示す残時間情報を受信する手段と、受信した残時間情報が示す残り時間と所定時間とを比較する手段と、前記映像表示部及び前記受信部への電力の供給のオン／オフを制御する手段とを備え、前記入力部により入力された映像信号及び音声信号に基づいて前記映像表示部が映像を表示し、前記音声出力部が音声を出力する選択を前記選択部がしている場合であり、且つ前記出力情報を受信した場合に、残り時間が前記所定時間よりも長いときは前記映像表示部及び前記受信部へは電力が供給されないようにしてあり、残り時間が前記所定時間よりも短いときは前記映像表示部及び前記受信部へ電力が供給されるようにしてあることを特徴とする。
【００２８】
本発明に係る表示装置は、電力の供給を受け、外部装置から映像信号及び／又は音声信号を入力する入力部と、テレビジョン放送の映像信号及び音声信号を受信する受信部と、前記入力部により入力された映像信号又は前記受信部が受信した映像信号に基づき映像を表示する映像表示部と、前記入力部により入力された音声信号又は前記受信部が受信した音声信号に基づき音声を出力する音声出力部と、前記入力部により入力された映像信号及び音声信号又は前記受信部が受信した映像信号及び音声信号のいずれの信号に基づいて前記映像表示部が映像を表示し、前記音声出力部が音声を出力するかを選択する選択部とを備える表示装置において、データの種類を示すデータ種別情報を受信する手段と、受信したデータ種別情報が示すデータの種類を判別する判別手段と、残り時間を示す残時間情報を受信する手段と、受信した残時間情報が示す残り時間と所定時間とを比較する手段と、前記映像表示部及び前記受信部への電力の供給のオン／オフを制御する手段とを備え、前記入力部により入力された映像信号及び音声信号に基づいて前記映像表示部が映像を表示し、前記音声出力部が音声を出力する選択を前記選択部がしている場合であり、且つデータの種類が映像を含まないものであると前記判別手段が判別した場合に、残り時間が前記所定時間よりも長いときは前記映像表示部及び前記受信部へは電力が供給されないようにしてあり、残り時間が前記所定時間よりも短いときは前記映像表示部及び前記受信部へ電力が供給されるようにしてあることを特徴とする。
【００２９】
本発明に係る表示装置は、前記所定時間の設定を受け付ける手段を更に備えることを特徴とする。
【００３０】
本発明にあっては、再生装置は、再生出力の残り時間を示す残時間情報を送信し、再生出力する信号が映像信号を含むか否かを判断して映像信号を含まないと判断した場合は映像信号を含まないことを示す出力情報を送信する。表示装置は、再生装置から送信された残時間情報を受信し、再生装置から出力情報を受信した場合は、残時間情報で示される時間と所定時間とを比較する。表示装置は、残時間情報で示される時間が所定時間よりも長い場合、映像を表示する映像表示部へは電力が供給されないようにする。一方、表示装置は、残時間情報で示される時間が所定時間よりも短い場合、映像を表示する映像表示部へ電力が供給されるようにする。
【００３１】
本発明にあっては、再生装置は、再生出力する映像信号及び／又は音声信号に係るデータの種類を示すデータ種別情報、及び再生出力の残り時間を示す残時間情報を送信する。表示装置は、再生装置から送信された残時間情報を受信する。また表示装置は、再生装置から受信したデータ種別情報が示すデータの種類を判別し、データの種類が映像を含まないものであると判別した場合は、残時間情報で示される時間と所定時間とを比較する。表示装置は、残時間情報で示される時間が所定時間よりも長い場合、映像を表示する映像表示部へは電力が供給されないようにする。一方、表示装置は、残時間情報で示される時間が所定時間よりも短い場合、映像を表示する映像表示部へ電力が供給されるようにする。
【００３２】
本発明にあっては、再生装置は、再生出力の残り時間を示す残時間情報を送信し、再生出力する信号が映像信号を含むか否かを判断して映像信号を含まないと判断した場合は映像信号を含まないことを示す出力情報を送信する。表示装置は、再生装置から送信された残時間情報を受信する。表示装置は、選択部が再生装置から入力された映像信号及び音声信号に基づいて映像を表示し、音声を出力する選択をしている場合であり、且つ再生装置から出力情報を受信した場合、残時間情報で示される時間と所定時間とを比較する。表示装置は、残時間情報で示される時間が所定時間よりも長い場合、映像を表示する映像表示部及びテレビジョン放送を受信する受信部へは電力が供給されないようにする。一方、表示装置は、残時間情報で示される時間が所定時間よりも短い場合、映像を表示する映像表示部及びテレビジョン放送を受信する受信部へ電力が供給されるようにする。
【００３３】
本発明にあっては、再生装置は、再生出力する映像信号及び／又は音声信号に係るデータの種類を示すデータ種別情報、及び再生出力の残り時間を示す残時間情報を送信する。表示装置は、再生装置から送信された残時間情報を受信する。表示装置は、選択部が再生装置から入力された映像信号及び音声信号に基づいて映像を表示し、音声を出力する選択をしている場合であり、且つデータの種類が映像を含まないものであると判別手段が判別した場合、残時間情報で示される時間と所定時間とを比較する。表示装置は、残時間情報で示される時間が所定時間よりも長い場合、映像を表示する映像表示部及びテレビジョン放送を受信する受信部へは電力が供給されないようにする。一方、表示装置は、残時間情報で示される時間が所定時間よりも短い場合、映像を表示する映像表示部及びテレビジョン放送を受信する受信部へ電力が供給されるようにする。
【００３４】
本発明にあっては、残時間情報と比較するための所定時間の設定を受け付ける。
【００３５】
本発明にあっては、再生装置と表示装置とは一本のケーブルで接続され、そのケーブルを介して映像信号及び音声信号の入出力、残時間情報の送受信、出力情報又はデータ種別情報の送受信がされる。
【発明の効果】
【００３６】
本発明による場合は、外部装置である再生装置は再生出力する信号が映像信号を含まないときはそのことを示す出力情報を送信し、さらに再生出力が終了するまでの再生残り時間を示す残時間情報を送信する。したがって、表示装置は、出力情報を受信した場合は映像を表示する映像表示部を使用しないことを認識することができる。表示装置は、再生装置からの映像信号を含まない信号の再生出力が終了するまでの再生残り時間と所定時間との比較に基づいて、映像表示部への電力の供給のオン／オフを制御して自動的に省電力を実現することができる。また、表示装置は、再生装置からの映像信号を含まない信号の再生出力が終了する所定時間前までは映像表示部へは電力が供給されないようにしても、再生出力が終了する所定時間前からは映像表示部へ電力が供給されるようにするので、映像表示部が映像を表示するまでの時間の短縮を図ることができる。
【００３７】
本発明による場合は、外部装置である再生装置は再生出力する信号のデータの種類を示すデータ種別情報と再生出力が終了するまでの再生残り時間を示す残時間情報を送信する。したがって、表示装置は、受信したデータ種別情報が示すデータの種類を判別し、再生装置からの信号が映像信号を含まないことを認識することができる。表示装置は、再生装置からの映像信号を含まない信号の再生出力が終了するまでの再生残り時間と所定時間との比較に基づいて、映像表示部への電力の供給のオン／オフを制御して自動的に省電力を実現することができる。また、表示装置は、再生装置からの映像信号を含まない信号の再生出力が終了する所定時間前までは映像表示部へは電力が供給されないようにしても、再生出力が終了する所定時間前からは映像表示部へ電力が供給されるようにするので、映像表示部が映像を表示するまでの時間の短縮を図ることができる。
【００３８】
本発明による場合は、外部装置である再生装置は再生出力する信号が映像信号を含まないときはそのことを示す出力情報を送信し、さらに再生出力が終了するまでの再生残り時間を示す残時間情報を送信する。したがって、表示装置は、出力情報を受信した場合は映像を表示する映像表示部を使用しないことを認識することができる。再生装置は残時間情報に示された再生残り時間と所定時間との比較に基づき、映像を表示する映像表示部及びテレビジョン放送を受信する受信部への電力の供給のオン／オフを制御して自動的に省電力を実現することができる。また、表示装置は、再生装置からの映像信号を含まない信号の再生出力が終了する所定時間前までは映像表示部及び受信部へは電力が供給されないようにしても、再生出力が終了する所定時間前からは映像表示部及び受信部へ電力が供給されるようにするので、映像表示部がテレビジョン放送に基づいて映像を表示するまでの時間の短縮を図ることができる。
【００３９】
本発明による場合は、外部装置である再生装置は再生出力する信号のデータの種類を示すデータ種別情報と再生出力が終了するまでの再生残り時間を示す残時間情報を送信する。したがって、表示装置は、受信したデータ種別情報が示すデータの種類を判別し、再生装置からの信号が映像信号を含まないことを認識することができる。表示装置は、再生装置からの映像信号を含まない信号の再生出力が終了するまでの再生残り時間を示す残時間情報と所定時間との比較に基づき、映像表示部への電力の供給のオン／オフを制御して自動的に省電力を実現することができる。また、表示装置は、再生装置からの映像信号を含まない信号の再生出力が終了する所定時間前までは映像表示部及び受信部へは電力が供給されないようにしても、再生出力が終了する所定時間前からは映像表示部及び受信部へ電力が供給されるようにするので、映像表示部がテレビジョン放送に基づいて映像を表示するまでの時間の短縮を図ることができる。
【００４０】
本発明による場合は、表示装置が残時間情報と比較する所定時間をユーザが設定することができる。所定時間を調整することで映像表示部及び受信部へ電力が供給されない時間の調整がされるので、ユーザは省電力の程度を調整することができる。
【００４１】
本発明による場合は、再生装置と表示装置との間は一本のケーブルによって接続され、映像信号の入出力の他、電力の供給のを自動的に行なうために用いられる残時間情報、出力情報又はデータ種別情報もそのケーブルで送受信が可能である。したがって、装置間の接続を簡易にして自動的に省電力を実現することができる。
【発明を実施するための最良の形態】
【００４２】
以下本発明をその実施の形態を示す図面に基づき具体的に説明する。
【００４３】
（実施の形態１）
実施の形態１では、本発明の映像音声出力システムを構成する表示装置は、地上デジタルテレビジョン放送及び地上アナログテレビジョン放送を受信する受信部を備え、地上デジタルテレビジョン放送及び地上アナログテレビジョン放送の映像を表示する。同様に、本発明の映像音声出力システムを構成する再生装置として、ＤＶＤに記録された映像及び音声を再生出力するだけでなく、ＣＤに記録された音声を再生出力することも可能なＤＶＤプレーヤを例に説明する。
【００４４】
図１は、実施の形態１における映像音声出力システムの構成を示すブロック図である。図１に示すブロック図では、各構成部の間で入出力される映像信号及び音声信号を白矢印、制御信号を実線の矢印、供給される電力を破線の矢印で表している。
【００４５】
本発明に係る映像音声出力システムは、記録された映像及び／又は音声に基づいて映像信号及び／又は音声信号を再生出力する再生装置１と、スピーカを有して音声を出力すると共に映像を表示する表示装置２とを備える。再生装置１と表示装置２とはケーブル３で接続されており、再生装置１から再生出力された映像信号及び／又は音声信号はケーブル３を介して表示装置２へ入力される。表示装置２は入力された映像信号及び／又は音声信号に基づいて映像を表示し、音声を出力するか、もしくは何れか一方を表示又は出力する。
【００４６】
再生装置１は、以下に説明する各構成部の動作を制御する制御部１０と、各構成部に電力を供給する電源回路１１と、ＣＤ又はＤＶＤからデータを読み出す読出部１２と、読出部１２が読み出したデータを映像信号及び／又は音声信号に復号する復号部１３と、いわゆる外部入力端子である信号入出力部１４とを備える。
【００４７】
制御部１０は、電源回路１１、読出部１２、復号部１３と接続されており、夫々に制御信号を送信することによって各構成部の動作を制御する。また、制御部１０は必要に応じて外部へ出力する制御信号を信号入出力部１４へ入力する。
【００４８】
電源回路１１は商用電源４０に接続されており、制御部１０、読出部１２、復号部１３、及び信号入出力部１４へ電力を供給する。
【００４９】
読出部１２は、ＣＤに記録された音声データ又はＤＶＤに記録された映像データ及び音声データを読み出して復号部１３へ入力する。ＣＤに記録された音声データは、ＭＰ３（ＭＰＥＧ−１  Ａｕｄｉｏ  Ｌａｙｅｒ−３）データ、ＷＡＶＥデータ等のデジタル音声データであり、夫々データのファイル名とファイル名に付加されたｍｐ３、ｗａｖ等の拡張子で識別されている。ＤＶＤに記録された映像データ及び音声データは、ＭＰＥＧ（Ｍｏｖｉｎｇ  Ｐｉｃｔｕｒｅ  Ｅｘｐｅｒｔｓ  Ｇｒｏｕｐ）−２に基づいて映像及び音声を多重化したデジタルデータである。なお、読出部１２で読み出すデータの種類の例としてＭＰ３データ、ＷＡＶＥデータ、ＭＰＥＧ−２データを挙げ、以下にこれらを例に説明するが、読出部１２で読み出すデータはＭＰ３データ、ＷＡＶＥデータ、ＭＰＥＧ−２データに限られないのは勿論である。
【００５０】
復号部１３は、読出部１２から入力された映像データ及び／又は音声データを夫々のデータの規格に基づいて復号して信号入出力部１４へ入力する。例えば、読出部１２から入力されたデータがＭＰ３データである場合は、ＭＰＥＧ−１  Ａｕｄｉｏの規格に基づいて圧縮符号化された音声データを音声信号に復号する。読出部１２から入力されたデータがＭＰＥＧ−２に基づいて映像及び音声を多重化したデジタルデータである場合は、ＭＰＥＧ−２の規格に基づいて映像データ及び音声データに分離し、夫々を映像信号及び音声信号に復号する。
【００５１】
信号入出力部１４は外部入力端子としてＨＤＭＩ（登録商標）（High-Definition Multimedia Interface）を有し、復号部１３から入力された映像信号及び／又は音声信号と共に、制御部１０から入力された制御信号を表示装置２へケーブル３を介して出力する。ＨＤＭＩは、映像信号、音声信号、及び時間情報を示す信号と共に民生機器同士の制御信号の送受信を一本のケーブルで送受信することが可能なインタフェースである。ＨＤＭＩは複数のチャンネルを有しており、映像信号及び音声信号はＴＭＤＳ（Transition Minimized Differential Signaling）チャンネルを使用して送信される。また、映像の時間情報はＴＤＭＳのクロックチャンネルを使用して送信される。ＴＭＤＳチャンネルで送受信される映像信号はＲＧＢ信号、ＹＣｂＣｒ信号（輝度色差信号）等である。
【００５２】
また、ＨＤＭＩのＤＤＣ（Display Data Channel）によって表示装置２が備える後述の表示パネル３０の解像度等の情報を送受信することが可能である。再生装置１の制御部１０は信号入出力部１４のＨＤＭＩのＤＤＣを介して表示装置２が内蔵する記憶部に記憶されたＥＤＩＤ（Extended Display Identification Data）を読み出す。再生装置１の制御部１０は読み出したＥＤＩＤから表示装置２が備える後述の表示パネル３０の解像度の情報を特定し、解像度に適した映像信号を出力する。
【００５３】
ＨＤＭＩのＣＥＣラインを使用することにより、再生装置１は必要な制御信号を表示装置２との間で入出力することが可能である。例えば、表示装置２がユーザの操作によって電源オフになった場合、表示装置２は電源をオフにすることを示す制御信号を再生装置１へ入力する。再生装置１は、電源をオフにすることを示す制御信号が信号入出力部１４により入力された場合、再生装置１全体の電源をオフにする。これにより、ユーザは一度の操作によって再生装置１及び表示装置２の電源のオン／オフを切り換えることができる。
【００５４】
本発明の実施の形態１に係る映像音声システムの再生装置１の制御部１０は更に、以下の機能を有している。
【００５５】
制御部１０は再生出力する信号が映像信号を含むか否かを判断する。制御部１０は、読出部１２が読み出しているデータのファイル名に付加されている拡張子を識別することにより再生出力する信号が映像信号を含むか否かを判断する。例えば、読出部１２が読み出しているデータのファイル名に付加されている拡張子を識別し、拡張子がｍｐｇ（ＭＰＥＧ）である場合は映像及び音声を含むデータであるので再生出力する信号は映像信号を含むと判断し、拡張子がｍｐ３又はｗａｖである場合は映像を含まないデータであるので再生出力する信号は映像信号を含まないと判断する。なお、制御部１０は、復号部１３により実際にＣＤ又はＤＶＤに記録されたデータを復号し、復号した信号が映像信号を含むか否かを判断するのでもよい。
【００５６】
制御部１０は、再生出力する信号が映像信号を含まないと判断した場合は、再生出力する信号は映像信号を含まないことを示す出力情報を信号入出力部１４によりケーブル３を介して送信する。
【００５７】
制御部１０は更に、ＣＤ又はＤＶＤから再生出力するデータの全体時間、読み出しているデータの全体時間に対する再生時間を読出部１２により取得することができる。例えばＤＶＤに記録されているＭＰＥＧ−２の規格に準じた映像及び音声のデータには一定単位（０．５秒未満）毎に再生時間を示すタイムスタンプが付加されており、そのタイムスタンプを読み出すことで映像の先頭からの再生時間を算出することが可能である。
【００５８】
また、ＣＤに記録されているＷＡＶＥデータは、そのヘッダ部に全体時間又は開始時間及び終了時間が記載されている場合、データの先頭からデータのサイズの何％までを読み出したかによって全体時間に対する再生時間を算出することが可能である。制御部１０は、読出部１２によりＣＤ又はＤＶＤから読み出している映像データ及び／又は音声データの全体時間から全体時間に対する再生時間を減算することで再生残り時間を算出する。制御部１０は、算出した再生残り時間を示す残時間情報を信号入出力部１４によりケーブル３を介して送信する。
【００５９】
表示装置２は、以下に説明する各構成部の動作を制御する制御部２０と、各構成部へ電力を供給する電源回路２１と、ユーザの操作を受け付けるリモコン（リモートコントローラ）２２と、リモコン２２からの信号を受信するリモコン受信部２３と、いわゆる外部入力端子である信号入出力部２４と、地上デジタルテレビジョン放送を受信するデジタルＴＶ受信部２５と、地上デジタルテレビジョン放送の映像及び音声を復号する復号部２６と、地上アナログテレビジョン放送を受信するアナログＴＶ受信部２７と、入力された映像及び音声の信号のいずれかを選択して出力するセレクタ部２８と、入力された映像信号を処理して出力する映像処理部２９と、映像を表示する表示パネル３０と、入力された音声信号を処理して出力する音声処理部３１と、音声を出力するスピーカ３２とを備える。
【００６０】
制御部２０は、リモコン受信部２３、信号入出力部２４、デジタルＴＶ受信部２５、復号部２６、アナログＴＶ受信部２７、セレクタ部２８、映像処理部２９、及び音声処理部３１に接続されており、制御信号を夫々に入力することによって各構成部の動作を制御する。
【００６１】
電源回路２１は、商用電源４０に接続されており、表示装置２の各構成部に電力を供給する。制御部２０は制御信号を電源回路２１へ入力することにより、電源回路２１からの各構成部への電力の供給のオン／オフを制御する。各構成部はブロック化されており、制御部２０は電源回路２１を介した商用電源４０からの電力の供給のオン／オフをブロック毎に制御する。制御部２０、リモコン受信部２３、信号入出力部２４、及びセレクタ部２８はコントローラ部３３として、デジタルＴＶ受信部２５、復号部２６、及びアナログＴＶ受信部２７はＴＶ信号受信部３４として、映像処理部２９及び表示パネル３０は映像表示部３５として、音声処理部３１及びスピーカ３２は音声出力部３６として夫々ブロック化されている。なお、ＴＶ信号受信部３４、映像表示部３５、及び音声出力部３６への電力の供給がオフである、即ち表示装置２が電源オフの状態である間であっても、リモコン受信部２３のリモコン２２からの信号の検知、制御部２０の再生装置１からの制御信号の検知等の動作を可能とする最低限の電力が電源回路２１からコントローラ部３３へ供給されている。
【００６２】
リモコン２２は電源ボタン、入力切換ボタン、チャンネル変更ボタン、数字ボタン、番組表ボタン等の各種ボタンを有し、赤外線通信によって各種ボタンが押下されたことを示す信号を送信する。リモコン２２が赤外線通信によって送信した信号はリモコン受信部２３が受信し、リモコン受信部２３は各種ボタンのいずれが押下されたかを制御部２０へ通知する。制御部２０はリモコン２２からの信号をリモコン受信部２３からの通知により検知してユーザによる操作を受け付ける。例えば、リモコン２２のチャンネル変更ボタンが押下された場合、リモコン２２はチャンネル変更ボタンが押下されたことを示す信号を送信する。リモコン受信部２３はチャンネル変更ボタンが押下されたことを示す信号を受信して制御部２０へ通知する。制御部２０は、チャンネル変更ボタンが押下されたことをリモコン受信部２３の通知により検知し、図示しない記憶部に記憶しているチャンネルの設定を変更する。
【００６３】
信号入出力部２４は再生装置１の信号入出力部１４同様に外部入力端子としてＨＤＭＩを有し、再生装置１からケーブル３を介して入力された映像信号及び音声信号をセレクタ部２８へ出力する。信号入出力部２４は、再生装置１からケーブル３を介して映像信号及び音声信号と共に入力された制御信号を制御部２０へ出力し、再生装置１から送信された残時間情報又は出力情報を受信して制御部２０へ送信する。また、信号入出力部２４は、再生装置１へ出力するために制御部２０から入力された制御信号を、ケーブル３を介して再生装置１へ出力する。
【００６４】
デジタルＴＶ受信部２５は復調器の機能を有し、リモコン２２を介して設定されたチャンネルに対応する地上デジタルテレビジョン放送の信号を受信する。地上デジタルテレビジョン放送の信号は、ＭＰＥＧ−２規格に基づいて映像信号、音声信号、その他番組情報等の信号を夫々圧縮符号化し、さらに夫々を多重化したデータを表している。デジタルＴＶ受信部２５は、チャンネルの設定に対応する地上デジタルテレビジョン放送の信号から映像及び音声を含むデータを抽出して復号部２６へ出力する。
【００６５】
復号部２６は、デジタルＴＶ受信部２５から入力されたデータを、ＭＰＥＧ−２規格に基づいた夫々の識別情報を判別することにより映像データ、音声データ、番組表データ等に分離する。復号部２６は、分離して得られた映像データを映像信号に復号し、音声データを音声信号に復号し、夫々に付加されている時間情報に基づいて映像信号と音声信号とを時間的に同期させてセレクタ部２８へ出力する。また、復号部２６は、分離して得られた番組表データを復号して番組表の内容を示す情報を取得し、制御部２０へ送信する。
【００６６】
アナログＴＶ受信部２７は復調器の機能を有し、リモコン２２を介して設定されたチャンネルに対応する地上アナログテレビジョン放送の映像信号及び音声信号を受信する。アナログＴＶ受信部２７は受信した映像信号及び音声信号をセレクタ部２８へ出力する。
【００６７】
セレクタ部２８は、信号入出力部２４により入力された映像信号及び／又は音声信号を出力するか、デジタルＴＶ受信部２５により入力されたテレビジョン放送の映像信号及び音声信号を出力するか、アナログＴＶ受信部２７により入力されたテレビジョン放送の映像信号及び音声信号を出力するかを制御部２０の制御信号により選択する。
【００６８】
制御部２０からの制御信号は、リモコン２２が有する入力切換ボタンが押下される都度、リモコン受信部２３からの通知によりこれを検知した制御部２０によってセレクタ部２８に入力される。リモコン２２が有する入力切換ボタンは、外部入力端子である信号入出力部２４により入力された映像信号及び音声信号、デジタルＴＶ受信部２５により受信した映像信号及び音声信号、アナログＴＶ受信部２７により受信した映像信号及び音声信号のいずれに基づいて映像を表示及び音声を出力するかが切り換わるボタンである。セレクタ部２８は入力切換ボタンが押されたことを示す制御信号が制御部２０から入力される都度、信号入出力部２４により入力された映像信号及び／又は音声信号を出力するか、デジタルＴＶ受信部２５により入力されたテレビジョン放送の映像信号及び音声信号を出力するか、アナログＴＶ受信部２７により入力されたテレビジョン放送の映像信号及び音声信号を出力するかの選択が切り換えられる。
【００６９】
なお、本発明の実施の形態１に係る映像音声システムの表示装置２の制御部２０は更に、以下の機能を有している。
【００７０】
表示装置２は、制御部２０の制御により予約に基づいて映像を表示する視聴予約が可能である。制御部２０による地上デジタルテレビジョン放送の番組表データに基づく視聴予約の処理について説明する。リモコン２２は番組表ボタンが押下されたことを検知した場合、これを示す信号を送信する。制御部２０は、リモコン受信部２３からの通知によりリモコン２２の番組表ボタンが押下されたことを検知した場合、復号部２６に番組表の内容を示す情報に基づいて番組表を表示するための映像信号を生成してセレクタ部２８へ出力するように制御信号を送信する。なお、番組表を表示するための映像信号は、復号部２６により復号した映像信号に重ねられてセレクタ部２８へ出力される。したがって、セレクタ部２８がデジタルＴＶ受信部２５により入力された映像信号及び音声信号に基づく映像を表示及び音声を出力する選択をしている場合に、表示パネル３０に番組表が表示される。
【００７１】
制御部２０は、図示しない記憶部を内蔵しており、復号部２６が復号した番組表の内容を示す情報を受信して記憶する。制御部２０は、表示パネル３０が番組表を表示している場合にリモコン２２及びリモコン受信部２３を介して一の番組の選択を受け付け、視聴予約情報として記憶する。視聴予約情報は選択された一の番組のチャンネル及び開始・終了時刻を番組表の内容を示す情報に基づいて取得することにより、予約チャンネル及び予約時刻として記憶する情報である。制御部２０は図示しない計時部を内蔵しており、視聴予約情報の予約時刻に到達したか否かを判断し、予約時刻に到達した場合に予約チャンネルに対応する映像信号及び音声信号に基づく映像を表示及び音声を出力するためにデジタルＴＶ受信部２５及びセレクタ部２８へ制御信号を出力する。
【００７２】
制御部２０は、地上アナログテレビジョン放送に対しても視聴予約の処理が可能である。制御部２０は、リモコン２２及びリモコン受信部２３を介して視聴予約のチャンネルの設定及び開始・終了時刻の設定を受け付け、受け付けたチャンネル及び開始・終了時刻を視聴予約情報として記憶する。また、制御部２０は、リモコン２２及びリモコン受信部２３を介してＧコード（登録商標）の設定を受け付け、受け付けたＧコードに対応する番組のチャンネル及び開始・終了時刻を視聴予約情報として記憶するのでもよい。
【００７３】
ケーブル３は、再生装置１と表示装置２との間を接続するＨＤＭＩケーブルである。前述したようにケーブル３を介して再生装置１及び表示装置２の信号入出力部１４，２４間で映像信号、音声信号、及び制御信号が入出力されると共に、再生装置１から表示装置２へ再生残り時間を示す残時間情報又は再生出力する信号に映像信号を含まないことを示す出力情報が送信される。
【００７４】
次に、本発明に係る映像音声出力システムにおいて、再生装置１が残時間情報又は出力情報を送信する処理手順、及び表示装置２が残時間情報と出力情報を受信して各構成部への電力の供給のオン／オフをブロック毎に制御する処理手順について以下に説明する。
【００７５】
図２は、本発明の実施の形態１における映像音声出力システムの再生装置１の制御部１０が再生残り時間を算出して残時間情報を送信し、再生出力する信号が映像信号を含まない場合は出力情報を送信する処理手順を示すフローチャートである。
【００７６】
再生装置１の制御部１０は、再生出力が開始されているか否かを判断する（ステップＳ１１）。制御部１０は再生出力が開始されていないと判断した場合（Ｓ１１：ＮＯ）、処理をステップＳ１１へ戻し、再生出力が開始されていると判断するまで待機する。制御部１０は、再生出力が開始されていると判断した場合は（Ｓ１１：ＹＥＳ）、再生出力する信号が映像信号を含むか否かを判断する（ステップＳ１２）。再生出力する信号が映像信号を含むか否かの判断は前述のように、読出部１２が読み出しているデータのファイル名に付加されている拡張子を識別することにより判断する。
【００７７】
制御部１０は、再生出力する信号が映像信号を含まないと判断した場合は（Ｓ１２：ＮＯ）、再生出力する信号が映像信号を含まないことを示す出力情報を信号入出力部１４により送信する（ステップＳ１３）。制御部１０は、再生出力する信号が映像信号を含むと判断した場合は（Ｓ１２：ＹＥＳ）、次のステップＳ１４へ進む。
【００７８】
制御部１０は、読出部１２によりＣＤ又はＤＶＤから読み出している映像及び／又は音声の全体時間を取得し（ステップＳ１４）、読み出している映像及び／又は音声の全体時間に対する再生時間を取得する（ステップＳ１５）。制御部１０は、ステップＳ１４で取得した全体時間からステップＳ１５で取得した再生時間を減算して再生残り時間を算出する（ステップＳ１６）。制御部１０は、ステップＳ１６で算出した再生残り時間を示す残時間情報を信号入出力部１４により表示装置２へ送信する（ステップＳ１７）。
【００７９】
次に制御部１０は、再生出力が終了したか否かを判断する（ステップＳ１８）。制御部１０は、再生出力が終了していないと判断した場合は（Ｓ１８：ＮＯ）、処理をステップＳ１２に戻し、前述のステップＳ１２〜ステップＳ１８の処理を継続する。制御部１０は、再生出力が終了したと判断した場合は（Ｓ１８：ＹＥＳ）、処理を終了する。
【００８０】
再生装置１の制御部１０は、上述の処理手順のステップＳ１２〜ステップＳ１８の処理を例えば１秒の所定時間毎に繰り返す。再生装置１は再生出力した信号が映像信号を含まない場合は出力情報を信号入出力部１４により送信するので、出力情報を受信した表示装置２は信号入出力部２４から入力される信号は映像信号を含まないことを認識することができる。また、再生装置１の制御部１０が、読出部１２によりＤＶＤから読み出した再生出力中の映像の全体時間と再生時間とから算出した再生残り時間を示す残時間情報を信号入出力部１４により表示装置２へ送信することで、残時間情報を信号入出力部２４により受信した表示装置２の制御部２０は再生残り時間を認識することができる。
【００８１】
表示装置２の制御部２０は、出力情報を受信した場合は再生装置１から入力される信号は映像信号を含まないので、再生装置１から入力される信号に基づいて音声を出力する間は映像を表示するための映像処理部２９、表示パネル３０を含む映像表示部３５及びデジタルＴＶ受信部２５、復号部２６、アナログＴＶ受信部２７を含むＴＶ信号受信部３４を使用しないので、受信した残時間情報に基づいて電力の供給をオフにする。また、制御部２０は出力情報を受信した場合、受信した残時間情報に基づいて再生装置１がＣＤから読み出した音声の再生を終了する前にＴＶ信号受信部３４及び映像表示部３５への電力の供給をオンにする。
【００８２】
再生装置１が記録媒体から読み出した音声の再生を終了した後にＴＶ信号受信部３４及び映像表示部３５へ電力の供給をオンにするのではなく、再生を終了する前に表示装置２の制御部２０が映像表示部３５への電力の供給をオンにするのは、表示パネル３０のバックライトを含む映像表示部３５が電力の供給を受け始めてから表示パネル３０が十分な明度で映像を表示するまでに時間を要するからである。また、再生を終了する前に表示装置２の制御部２０がＴＶ信号受信部３４への電力の供給をオンにするのは、ＴＶ信号受信部３４に含まれるデジタルＴＶ受信部２５及びアナログＴＶ受信部２７が電源回路２１からの電力の供給を受け始めてからテレビジョン放送に基づく映像信号をセレクタ部２８に出力して表示パネル３０が映像を表示するまでに時間を要するからである。
【００８３】
図３及び図４は、本発明の実施の形態１における映像音声出力システムの表示装置２の制御部２０がコントローラ部３３、ＴＶ信号受信部３４、映像表示部３５及び音声出力部３６への電力の供給のオン／オフをブロック毎に制御する処理手順を示すフローチャートである。
【００８４】
表示装置２の制御部２０は、リモコン受信部２３からの通知によりリモコン２２の電源ボタンが押下されたことを検知したか否かを判断する（ステップＳ２０１）。なお、このとき、表示装置２はＴＶ信号受信部３４、映像表示部３５、及び音声出力部３６への電力が供給されておらず、コントローラ部３３へは電源回路２１から最低限の電力が供給されている電源オフの状態である。
【００８５】
制御部２０は、リモコン受信部２３からの通知によりリモコン２２の電源ボタンの押下を検知していないと判断した場合は（Ｓ２０１：ＮＯ）、処理をステップＳ２０１へ戻し、リモコン受信部２３からの通知によりリモコン２２の電源ボタンが押下されたことを検知したと判断するまで待機する。制御部２０は、リモコン受信部２３からの通知によりリモコン２２の電源ボタンの押下を検知したと判断した場合は（Ｓ２０１：ＹＥＳ）、コントローラ部３３、ＴＶ信号受信部３４、映像表示部３５、及び音声出力部３６へ電源回路２１を介して電力の供給をオンにする（ステップＳ２０２）。これ以降、表示装置２は電源オンの状態になる。
【００８６】
次に、制御部２０はセレクタ部２８が信号入出力部２４により入力された映像信号及び／又は音声信号を出力する選択をしているか否かを判断する（ステップＳ２０３）。制御部２０は、セレクタ部２８が信号入出力部２４により入力された映像信号及び／又は音声信号を出力する選択をしていないと判断した場合は（Ｓ２０３：ＮＯ）、リモコン２２の電源ボタンの押下をリモコン受信部２３からの通知により検知したか否かを判断する（ステップＳ２０４）。
【００８７】
一方、ステップＳ２０３において、制御部２０は、セレクタ部２８が信号入出力部２４により入力された映像信号及び／又は音声信号を出力する選択をしていると判断した場合は（Ｓ２０３：ＹＥＳ）、再生装置１から再生出力する信号が映像信号を含まないことを示す出力情報を受信したか否かを判断する（ステップＳ２０５）。前述の図２に示した処理手順で説明したように、再生装置１からは再生出力する信号が映像信号を含むか否かを所定時間である１秒毎に判断し、再生出力する信号が映像信号を含まない場合は出力情報を送信する。したがって、表示装置２は例えば１秒等の所定時間以内に出力情報を受信しない場合は出力情報を受信しなかったと判断して次の処理へ進むようにしてある。
【００８８】
制御部２０は、出力情報を受信しなかったと判断した場合は（Ｓ２０５：ＮＯ）、映像表示部３５及びＴＶ信号受信部３４への電力の供給をオンに（維持）し（ステップＳ２０６）、前述のステップＳ２０４の判断処理を行なう。
【００８９】
制御部２０は、出力情報を受信したと判断した場合は（Ｓ２０５：ＹＥＳ）、信号入出力部２４により再生装置１で再生している音声の再生残り時間を示す残時間情報を受信し（ステップＳ２０７）、受信した残時間情報が示す再生残り時間が例えば１分等の所定時間よりも長いか否かを判断する（ステップＳ２０８）。
【００９０】
ここで、ステップＳ２０８で残時間情報と比較するための所定時間は、表示装置２の制御部２０が内蔵する図示しない記憶部に記憶されている。所定時間の値はリモコン２２を介してユーザが任意に設定することが可能な構成でもよい。この場合、ユーザによって設定された所定時間が、ＴＶ信号受信部３４及び映像表示部３５に電力が供給されてから表示パネル３０が映像を表示するまでに要する時間よりも短いときは、テレビジョン放送の映像表示までに時間を要する旨を表示パネル３０が表示する構成が望ましい。
【００９１】
制御部２０は、再生残り時間が所定時間よりも短いと判断した場合は（Ｓ２０８：ＮＯ）、前述のステップＳ２０６及びステップＳ２０４の処理を行なう。
【００９２】
制御部２０は、再生残り時間が所定時間よりも長いと判断した場合は（Ｓ２０８：ＹＥＳ）、映像表示部３５及びＴＶ信号受信部３４への電力の供給をオフにする（ステップＳ２０９）。
【００９３】
次に制御部２０はリモコン２２のチャンネル変更ボタン、数字ボタン等のテレビジョン放送を視聴するためのテレビジョン選局ボタンが押下されたことをリモコン受信部２３からの通知により検知したか否かを判断する（ステップＳ２１０）。
【００９４】
制御部２０は、リモコン２２のテレビジョン選局ボタンが押下されたことをリモコン受信部２３からの通知により検知したと判断した場合（Ｓ２１０：ＹＥＳ）、前述のステップＳ２０６及びステップＳ２０４の処理を行なう。制御部２０は、リモコン２２のテレビジョン選局ボタンが押下されたことをリモコン受信部２３からの通知により検知していないと判断した場合（Ｓ２１０：ＮＯ）、内蔵する記憶部に記憶してある視聴予約情報の予約時刻の所定時間前に到達したか否かを判断する（ステップＳ２１１）。
【００９５】
制御部２０は、視聴予約情報の予約時刻の所定時間前に到達したと判断した場合は（Ｓ２１１：ＹＥＳ）、前述のステップＳ２０６及びステップＳ２０４の処理を行なう。
【００９６】
制御部２０は、視聴予約情報の予約時刻の所定時間前に到達していないと判断した場合は（Ｓ２１１：ＮＯ）、前述のステップＳ２０４の判断処理を行なう。
【００９７】
制御部２０は、ステップＳ２０４において電源ボタンの押下を検知していないと判断した場合（Ｓ２０４：ＮＯ）、処理をステップＳ２０３へ戻し、セレクタ部２８が信号入出力部２４により入力された映像信号及び／又は音声信号を出力する選択をしていると判断するまで、コントローラ部３３、ＴＶ信号受信部３４、映像表示部３５、及び音声出力部３６への電力の供給をオンに維持したまま処理を継続する。
【００９８】
制御部２０は、電源ボタンの押下を検知したと判断した場合（Ｓ２０４：ＹＥＳ）、電源回路２１からＴＶ信号受信部３４、映像表示部３５、及び音声出力部３６への電力の供給をオフにし（ステップＳ２１２）、処理を終了する。
【００９９】
図３及び図４に示した制御部２０の処理手順のうちステップＳ２０３〜ステップＳ２０９の処理により、表示装置２はセレクタ部２８が信号入出力部２４により入力された映像信号及び／又は音声信号を出力する選択をしている場合、再生装置１から入力される信号が映像信号を含まないときであって更に、再生装置１が再生出力する再生残り時間が所定時間よりも長い間は、使用していないＴＶ信号受信部３４及び映像表示部３５への電力の供給をオフにする。これにより、表示装置２は再生装置１からの情報に基づいて自動的に省電力を実現することができる。
【０１００】
再生装置１が再生出力を開始した場合に既に再生残り時間が所定時間よりも短い場合は、ステップＳ２０９の処理は行なわれないので、ＴＶ信号受信部３４及び映像表示部３５への電力の供給はオンに維持される。したがって、再生装置１が再生を開始した音声のみのデータの全体時間が短い場合、再生終了後に再生装置１から映像信号を含む信号が再生出力されてセレクタ部２８が信号入出力部２４により入力された映像信号及び音声信号を出力する選択をしたとき、もしくはセレクタ部２８がデジタルＴＶ受信部２５又はアナログＴＶ受信部２７により入力された映像信号及び音声信号を出力する選択をしたときには、映像表示部３５には電力が供給されており、十分な明度で映像が表示されるまでの時間の短縮を図ることができる。また、再生装置１が再生を開始した音声のみのデータの全体時間が短い場合、再生終了後にセレクタ部２８がデジタルＴＶ受信部２５又はアナログＴＶ受信部２７により入力された映像信号及び音声信号を出力する選択をしたときには、ＴＶ信号受信部３４へは電力が供給されているので、テレビジョン放送の映像が表示されるまでの時間の短縮を図ることができる。ユーザは、所定時間を適宜に設定することによって再生装置１での再生終了後、直ちにテレビジョン放送の映像を表示装置２により視聴することも可能である。
【０１０１】
なお、実施の形態１における映像音声出力システムの表示装置２はデジタルテレビジョン放送の信号を受信するデジタルＴＶ受信部２５、デジタルテレビジョン放送の信号を映像信号及び音声信号に復号する復号部２６、及びアナログテレビジョン放送の信号を受信するアナログＴＶ受信部２７を備える例を示した。しかしながら、本発明はこれに限らず、テレビジョン放送の信号を受信するためのＴＶ信号受信部３４を備えず、再生装置１からの映像信号及び／又は音声信号に基づいてのみ映像を表示し、音声を出力する構成でもよい。この場合は、音声のみのデータを復号して映像信号を含まない信号を再生装置１が出力していることを示す出力情報を受信した場合は、残時間情報を受信して残時間情報が示す再生残り時間が所定時間よりも長いか、短いかを判断し、再生残り時間が所定時間よりも長いときは使用しない映像処理部２９及び表示パネル３０を含む映像表示部３５へは電力が供給されないようにし、再生残り時間が所定時間よりも短いときは映像処理部２９及び表示パネル３０を含む映像表示部３５への電力が供給されるようにすることで自動的に省電力を実現することができる。
【０１０２】
（実施の形態２）
実施の形態２における映像音声出力システムのハードウェア構成は、実施の形態１と同様であり、差異点は再生装置１の制御部１０及び表示装置２の制御部２０の処理手順である。したがって、再生装置１の制御部１０及び表示装置２の制御部２０以外の構成部についての詳細な説明を省略し、再生装置１の制御部１０及び表示装置２の制御部２０の処理手順について実施の形態１と同一の符号を用いて以下に説明する。
【０１０３】
実施の形態１における再生装置１の制御部１０は、読出部１２が読み出しているデータが映像を含むか否かを判断し、映像を含まないと判断した場合は再生出力する信号は映像信号を含まないことを示す出力情報を信号入出力部１４によりケーブル３を介して送信した。実施の形態２における再生装置１の制御部１０は出力情報を送信するのではなく、読出部１２が読み出しているデータの種類を判別してデータの種類を示すデータ種別情報を信号入出力部１４によりケーブル３を介して送信する。実施の形態２では、再生装置１から入力される信号が映像信号を含まないか否かの判断は、データ種別情報を受信した表示装置２の制御部２０が行なう。
【０１０４】
実施の形態２における再生装置１の制御部１０は、読出部１２が読み出しているデータのファイル名に付加されているデータの種類を示す拡張子を識別し、識別した拡張子をテキストデータで表したデータ種別情報を信号入出力部１４によりケーブル３を介して送信する。なお、再生装置１の制御部１０が送信するデータ種別情報は、本発明ではこれに限らず、データ種別情報を受信した表示装置２の制御部２０がデータの種類を判別することができるのであれば、データの種類毎に割り振られた識別番号を含む構成でもよい。
【０１０５】
図５は、本発明の実施の形態２における映像音声出力システムの再生装置１の制御部１０が再生残り時間を算出して残時間情報を送信すると共に、読出部１２で読み出しているデータの種類を示すデータ種別情報を送信する処理手順を示すフローチャートである。
【０１０６】
ステップＳ３１及びステップＳ３３〜ステップＳ３６の処理は、実施の形態１の図１に示した再生残り時間を示す残時間情報を送信する処理手順の、ステップＳ１１及びステップＳ１４〜ステップＳ１７の処理手順と同一であるため説明を省く。
【０１０７】
制御部１０は、再生出力が開始されていると判断した場合は（Ｓ３１：ＹＥＳ）、制御部１０は、読出部１２が読み出しているデータの種類を示すデータ種別情報を信号入出力部１４により送信する（ステップＳ３２）。制御部１０が信号入出力部１４により送信するデータ種別情報は、前述のようにデータのファイル名に付加されている拡張子をテキストデータで表すデータである。
【０１０８】
制御部１０は、再生出力が終了したか否かを判断する（ステップＳ３７）。制御部１０は、再生出力が終了していないと判断した場合は（Ｓ３７：ＮＯ）、処理をステップＳ３２に戻し、ステップＳ３２〜ステップＳ３７の処理を継続する。制御部１０は、再生出力が終了したと判断した場合は（Ｓ３７：ＹＥＳ）、処理を終了する。
【０１０９】
再生装置１の制御部１０は、上述の処理手順のステップＳ３２〜ステップＳ３７の処理を例えば１秒の所定時間毎に繰り返す。再生装置１の制御部１０が、読出部１２によりＤＶＤから読み出した再生出力中の映像の全体時間と再生時間とから算出した再生残り時間を示す残時間情報を信号入出力部１４により表示装置２へ送信することで、残時間情報を信号入出力部２４により受信した表示装置２の制御部２０は再生残り時間を認識することができる。
【０１１０】
表示装置２の制御部２０は、ケーブル３及び信号入出力部２４により再生装置１から入力されたデータ種別情報を受信し、受信したデータ種別情報が示すデータの種類が映像を含む種類であるか否かによって映像を表示しないか否かを判断する。制御部２０は、受信したデータ種別情報が示すデータの種類が映像を含まない種類であると判断した場合は、再生装置１からの音声信号に基づく音声をスピーカ３２で出力する間に再生装置１から受信した残時間情報に基づき、使用しないデジタルＴＶ受信部２５、復号部２６、アナログＴＶ受信部２７を含むＴＶ信号受信部３４への電力の供給をオフにし、映像を表示するための映像処理部２９、表示パネル３０を含む映像表示部３５も使用しないので電力の供給をオフにする。
【０１１１】
実施の形態２における映像音声出力システムの表示装置２の制御部２０が各構成部への電力の供給のオン／オフをブロック毎に制御する処理手順について説明する。図６及び図７は、本発明の実施の形態２における映像音声出力システムの表示装置２の制御部２０がコントローラ部３３、ＴＶ信号受信部３４、映像表示部３５及び音声出力部３６への電力の供給のオン／オフをブロック毎に制御する処理手順を示すフローチャートである。
【０１１２】
なお、ステップＳ４０１〜ステップＳ４０４の処理は図３及び図４に示した実施の形態１における表示装置２の制御部２０の処理手順のステップＳ２０１〜ステップＳ２０４の処理と同一であるので説明を省略する。また、ステップＳ４０８〜ステップＳ４１４の処理は図３及び図４に示した実施の形態１における表示装置２の制御部２０の処理手順のステップＳ２０６〜Ｓ２１２の処理と同一であるので説明を省略する。
【０１１３】
以下に、表示装置２の制御部２０の処理手順のステップＳ４０５〜ステップＳ４０７について説明する。
【０１１４】
制御部２０は、セレクタ部２８が信号入出力部２４により入力された映像信号及び／又は音声信号を出力する選択をしていると判断した場合は（Ｓ４０３：ＹＥＳ）、信号入出力部２４によりデータ種別情報を受信する（ステップＳ４０５）。再生装置１からは、データ種別情報が所定時間毎に送信されているので、制御部２０はデータ種別情報を受信することができる。制御部２０は、受信したデータ種別情報が示すデータの種類を判別し（ステップＳ４０６）、判別したデータの種類が映像を含まない種類であるか否かを判断する（ステップＳ４０７）。
【０１１５】
制御部２０は、判別したデータの種類が映像を含まない種類でないと判断した場合は（Ｓ４０７：ＮＯ）、ステップＳ４０８及びステップＳ４０４の処理を行ない、判別したデータの種類が映像を含まない種類であると判断した場合は（Ｓ４０７：ＹＥＳ）、ステップＳ４０９の残時間情報を受信する処理を行なう。
【０１１６】
図６及び図７に示した制御部２０の処理手順のうちステップＳ４０３〜ステップＳ４１１の処理により、表示装置２はセレクタ部２８が信号入出力部２４により入力された映像信号及び／又は音声信号を出力する選択をしている場合、再生装置１が読み出して復号しているデータの種類が映像を含まないものであって更に、再生装置１が再生出力する再生残り時間が所定時間よりも長い間は、使用していないＴＶ信号受信部３４及び映像表示部３５への電力の供給をオフにする。これにより、表示装置２は再生装置１からの情報に基づいて自動的に省電力を実現することができる。
【０１１７】
再生装置１が再生出力を開始した場合に既に再生残り時間が所定時間よりも短い場合は、ステップＳ４１１の処理は行なわれないので、ＴＶ信号受信部３４及び映像表示部３５への電力の供給はオンに維持される。したがって、再生装置１が再生を開始した音声のみのデータの全体時間が短い場合、再生終了後に再生装置１から映像信号を含む信号が再生出力されてセレクタ部２８が信号入出力部２４により入力された映像信号及び音声信号を出力する選択をしたとき、もしくはセレクタ部２８がデジタルＴＶ受信部２５又はアナログＴＶ受信部２７により入力された映像信号及び音声信号を出力する選択をしたときには、映像表示部３５には電力が供給されており、十分な明度で映像が表示されるまでの時間の短縮を図ることができる。また、再生装置１が再生を開始した音声のみのデータの全体時間が短い場合、再生終了後にセレクタ部２８がデジタルＴＶ受信部２５又はアナログＴＶ受信部２７により入力された映像信号及び音声信号を出力する選択をしたときには、ＴＶ信号受信部３４へは電力が供給されているので、テレビジョン放送の映像が表示されるまでの時間の短縮を図ることができる。ユーザは、所定時間を適宜に設定することによって再生装置１での再生終了後、直ちにテレビジョン放送の映像を表示装置２により視聴することも可能である。
【０１１８】
なお、実施の形態２における映像音声出力システムの表示装置２はデジタルテレビジョン放送の信号を受信するデジタルＴＶ受信部２５、デジタルテレビジョン放送の信号を映像信号及び音声信号に復号する復号部２６、及びアナログテレビジョン放送の信号を受信するアナログＴＶ受信部２７を備える例を示した。しかしながら、本発明はこれに限らず、テレビジョン放送の信号を受信するためのＴＶ信号受信部３４を備えず、再生装置１からの映像信号及び／又は音声信号に基づいてのみ映像を表示し、音声を出力する構成でもよい。この場合は、再生装置１が復号しているデータの種類を示すデータ種別情報を受信した場合は、残時間情報を受信して残時間情報が示す再生残り時間が所定時間よりも長いか、短いかを判断し、再生残り時間が所定時間よりも長いときは使用しない映像処理部２９及び表示パネル３０を含む映像表示部３５へは電力が供給されないようにし、再生残り時間が所定時間よりも短いときは映像処理部２９及び表示パネル３０を含む映像表示部３５へ電力が供給されるようにすることで自動的に省電力を実現することができる。
【０１１９】
表示装置２が再生残り時間について所定時間と比較判断する場合、本実施の形態では一の所定時間の値に対して所定時間よりも長いか否かを判断するとした。しかし本発明ではこれに限らず、所定時間を二つ設定しておき、一の所定時間よりも長い場合にＴＶ信号受信部３４への電力の供給をオフにして他の所定時間よりも短い場合は電力の供給をオンにする構成としてもよい。
【０１２０】
また、実施の形態１及び２における映像音声出力システムにおける表示装置２の制御部２０の処理手順では、制御部２０は電源ボタンの押下を検知したと判断した場合は、コントローラ部３３、ＴＶ信号受信部３４、映像表示部３５及び音声出力部３６への電力の供給を無条件でオンにする処理手順とした。しかし本発明はこれに限らず、制御部２０は、電源ボタンの押下を検知したと判断した後、セレクタ部２８が信号入出力部２４により入力された映像信号及び音声信号を出力する選択をしていない場合に、又はセレクタ部２８が信号入出力部２４により入力された映像信号及び音声信号を出力する選択をしていても再生装置１から送信される残時間情報が示す再生残り時間が所定時間よりも長いと判断した場合に初めて、コントローラ部３３、映像表示部３５及び音声出力部３６への電力の供給をオンにし、ＴＶ信号受信部３４へは電力の供給を引き続きオフにする処理手順でもよい。制御部２０は、電源ボタンの押下を検知した場合に、セレクタ部２８が信号入出力部２４により入力された映像信号及び音声信号を出力する選択をしており、且つ再生残り時間が所定時間よりも短いと判断したときに初めてコントローラ部３３、映像表示部３５及び音声出力部３６に加えてＴＶ信号受信部３４への電力の供給をオンにする処理手順でもよい。
【０１２１】
実施の形態１及び２における映像音声出力システムの表示装置２は、各構成部をブロック化し、電源回路２１からの電力の供給のオン／オフを制御部２０がブロック毎に制御する構成とした。しかし、各構成部のブロック化の組み合わせは、本実施の形態に示した例に限るものではない。
【０１２２】
実施の形態１及び２における映像音声出力システムの表示装置２は、テレビジョン放送を受信する受信部は地上デジタルテレビジョン放送用のデジタルＴＶ受信部２５及び地上アナログテレビジョン放送用のアナログＴＶ受信部２７で構成する例を示した。しかし本発明の映像音声出力システムの表示装置２は他にＢＳ放送用、ＣＳ放送用等の各種放送用の受信部を更に設け、再生装置１から受信した映像信号及び音声信号に基づく映像を表示し、音声を出力している間は、各受信部を含むＴＶ信号受信部３４への電力の供給をオフにし、再生装置１での再生残り時間が所定時間よりも短いと判断した場合に各受信部を含むＴＶ信号受信部３４への電力の供給をオンにする構成としてもよい。
【０１２３】
実施の形態１及び２における映像音声出力システムでは再生装置１と表示装置２との間で残時間情報、出力情報、又はデータ種別情報を送受信する手段として、信号入出力部１４及び信号入出力部２４をＨＤＭＩケーブルであるケーブル３で接続し、ＨＤＭＩのＣＥＣラインを使用する構成とした。しかし本発明は再生装置１と表示装置２との間の情報の送受信をＨＤＭＩケーブルの利用によると限定するものではない。例えば、再生装置１と表示装置２との間を従来のＤ端子等で接続し、残時間情報を送受信するための通信部を別途備え、映像信号及び音声信号とは別に残時間情報のみを示す信号を送受信する構成でもよい。
【０１２４】
また、実施の形態１及び２における映像音声出力システムでは再生装置１として再生専用装置であるＤＶＤプレーヤーを例にして説明した。しかし本発明はこれに限らず、ビデオカセット特にデジタル方式のビデオカセットに記録された映像信号及び音声信号を読み出して再生出力することが可能なビデオカセットプレーヤを再生装置とする構成でもよい。さらに、ＨＤＤ（Ｈａｒｄ  Ｄｉｓｋ  Ｄｒｉｖｅ）を備え、映像をＨＤＤに記憶しておき、記憶された映像及び音声を読み出して映像信号及び音声信号を再生出力することが可能な再生記録装置を再生装置とする構成でもよい。その他、再生装置としては、ＨＤＤを備えてＨＤＤから映像及び／又は音声を読み出して映像信号及び／又は音声信号を再生出力することが可能であり、且つＤＶＤから映像信号及び音声信号を再生出力することが可能なＨＤＤ／ＤＶＤプレーヤー、Ｂｌｕ−Ｒａｙ  Ｄｉｓｋ（登録商標）から映像信号及び音声信号を再生出力することが可能なプレーヤー、撮像した映像に基づいて映像信号及び音声信号を再生出力することが可能なビデオカメラ等とすることが可能である。また、表示装置は映像信号及び音声信号を入力するための信号入出力部を複数備え、上述に挙げた複数の種類の再生装置と夫々接続する構成でもよい。
【０１２５】
実施の形態１及び２では、映像音声出力システムの表示装置２の制御部２０は、再生装置１から出力情報を受信した場合又は再生装置１から受信したデータ種別情報が示す情報が映像を含まない場合は、ＴＶ信号受信部３４及び映像表示部３５のいずれへの電力の供給もオンにする構成とした。しかしながら、本発明はこれに限らず、再生装置１から出力情報を受信しなかったとき又は再生装置１から受信したデータ種別情報が示す情報が映像を含むと判断した場合も再生装置１から残時間情報を受信し、残時間情報が示す再生残り時間が所定時間以上である場合は、映像表示部３５への電力の供給はオンにしてＴＶ信号受信部３４への電力の供給をオフにする構成でもよい。これにより、ＴＶ信号受信部３４で消費される電力を削減することが可能となる。またこの場合は、再生装置１から残時間情報を受信し、残時間情報が示す再生残り時間が所定時間未満であるときに、映像表示部３５及びＴＶ信号受信部３４への電力の供給をオンにする。
【０１２６】
さらに、本発明の映像音声出力システムでは、表示装置２の制御部２０はＴＶ信号受信部３４又は映像表示部３５への電力の供給をオフにするか否かについてユーザによる選択を受け付け、制御部２０がＴＶ信号受信部３４及び／又は映像表示部３５への電力の供給をオフにする選択を受け付けた場合に電力の供給をオフにする構成としてもよい。
【図面の簡単な説明】
【０１２７】
【図１】実施の形態１における映像音声出力システムの構成を示すブロック図である。
【図２】本発明の実施の形態１における映像音声出力システムの再生装置の制御部が再生残り時間を算出して残時間情報を送信し、再生出力する信号が映像信号を含まない場合は出力情報を送信する処理手順を示すフローチャートである。
【図３】本発明の実施の形態１における映像音声出力システムの表示装置の制御部がコントローラ部、ＴＶ信号受信部、映像表示部及び音声出力部への電力の供給のオン／オフをブロック毎に制御する処理手順を示すフローチャートである。
【図４】本発明の実施の形態１における映像音声出力システムの表示装置の制御部がコントローラ部、ＴＶ信号受信部、映像表示部及び音声出力部への電力の供給のオン／オフをブロック毎に制御する処理手順を示すフローチャートである。
【図５】本発明の実施の形態２における映像音声出力システムの再生装置の制御部が再生残り時間を算出して残時間情報を送信すると共に、読出部で読み出しているデータの種類を示すデータ種別情報を送信する処理手順を示すフローチャートである。
【図６】本発明の実施の形態２における映像音声出力システムの表示装置の制御部がコントローラ部、ＴＶ信号受信部、映像表示部及び音声出力部への電力の供給のオン／オフをブロック毎に制御する処理手順を示すフローチャートである。
【図７】本発明の実施の形態２における映像音声出力システムの表示装置の制御部がコントローラ部、ＴＶ信号受信部、映像表示部及び音声出力部への電力の供給のオン／オフをブロック毎に制御する処理手順を示すフローチャートである。
【符号の説明】
【０１２８】
１  再生装置
２  表示装置
３  ケーブル
１０，２０  制御部
１１，２１  電源回路
１４，２４  信号入出力部
２５  デジタルＴＶ受信部
２７  アナログＴＶ受信部
２８  セレクタ部
２９  映像処理部
３０  表示パネル
３１  音声処理部
３２  スピーカ
３４  ＴＶ信号受信部
３５  映像表示部
３６  音声出力部
４０  商用電源
【図１】
2008098857.tif 000003
【図２】
2008098857.tif 000004
【図３】
2008098857.tif 000005
【図４】
2008098857.tif 000006
【図５】
2008098857.tif 000007
【図６】
2008098857.tif 000008
【図７】
2008098857.tif 000009